(57)【要約】【課題】かごに進入した利用者に対して、利用することができない旨を報知することができるエレベータ装置を得る。【解決手段】自動運転モードと非自動運転モードとの間で運転モードが切り換わるエレベータ装置であって、かご１に進入した利用者を検出する光電装置８と、かご１に進入した利用者に対して報知するスピーカ装置７と、スピーカ装置７を制御するスピーカ制御装置５３とを備え、スピーカ制御装置５３は、エレベータ装置の運転モードが手動運転モードである場合であって、光電装置８がかご１に進入した利用者を検出した場合に、スピーカ装置７に利用することができない旨を報知させる。【選択図】図２
2014080272.tif 000002
【特許請求の範囲】
【請求項１】
自動運転モードと非自動運転モードとの間で運転モードが切り換わるエレベータ装置であって、
かごに進入した利用者を検出する利用者検出装置と、
前記かごに進入した前記利用者に対して報知する報知装置と、
前記報知装置を制御する報知制御装置と
を備え、
前記報知制御装置は、前記運転モードが前記非自動運転モードである場合であって、前記利用者検出装置が前記かごに進入した前記利用者を検出した場合に、前記報知装置に利用することができない旨を報知させることを特徴とするエレベータ装置。
【請求項２】
前記利用者検出装置は、前記かごが戸開状態で停止している場合に、前記かごに進入した前記利用者を検出することを特徴とする請求項１に記載のエレベータ装置。
【請求項３】
前記非自動運転モードには、かご操作盤を特殊操作することによって前記かごが昇降する手動運転モードが含まれることを特徴とする請求項１または請求項２に記載のエレベータ装置。
【請求項４】
かごに進入した利用者を検出する利用者検出装置と、前記かごに進入した前記利用者に対して報知する報知装置と、前記報知装置を制御する報知制御装置とを用いて、自動運転モードと非自動運転モードとの間で運転モードが切り換わるエレベータ装置の前記運転モードが前記非自動運転モードである場合に、利用することができない旨を前記利用者に報知するエレベータ装置利用不可報知方法であって、
前記運転モードが前記非自動運転モードである場合に、前記利用者検出装置が前記かごに進入した前記利用者を検出する利用者検出工程と、
前記利用者検出工程で前記利用者検出装置が前記かごに進入した前記利用者を検出した場合に、前記報知制御装置が前記報知装置に利用することができない旨を報知させる報知工程と
を備えたことを特徴とするエレベータ装置利用不可報知方法。
【発明の詳細な説明】
【技術分野】
【０００１】
この発明は、利用することができない旨を利用者に報知するエレベータ装置およびエレベータ装置利用不可報知方法に関する。
【背景技術】
【０００２】
従来、自動運転モードと休止運転モードとの間で運転モードが切り換わるエレベータ装置であって、乗場釦と、乗場に設けられたスピーカ装置と、スピーカ装置を制御するスピーカ制御装置とを備え、スピーカ制御装置は、運転モードが休止運転モードである場合であって、乗場釦が操作された場合に、利用することができない旨のアナウンスをスピーカ装置にさせるエレベータ装置が知られている。スピーカ装置がアナウンスすることによって、乗場にいる利用者に対して、利用することができない旨が報知される（例えば、特許文献１参照）。
【先行技術文献】
【特許文献】
【０００３】
【特許文献１】特開平６−２３９５４４号公報
【発明の概要】
【発明が解決しようとする課題】
【０００４】
しかしながら、エレベータ装置の運転モードが休止運転モードである場合であって、かごが戸開状態で停止した場合には、利用者は、乗場釦を操作することなく、かご内に進入することができる。この場合、かごに進入した利用者に対して、利用することができない旨を報知することができないという問題点があった。
【０００５】
この発明は、かごに進入した利用者に対して、利用することができない旨を報知することができるエレベータ装置およびエレベータ装置利用不可報知方法を提供するものである。
【課題を解決するための手段】
【０００６】
この発明に係るエレベータ装置は、自動運転モードと非自動運転モードとの間で運転モードが切り換わるエレベータ装置であって、かごに進入した利用者を検出する利用者検出装置と、前記かごに進入した前記利用者に対して報知する報知装置と、前記報知装置を制御する報知制御装置とを備え、前記報知制御装置は、前記運転モードが前記非自動運転モードである場合であって、前記利用者検出装置が前記かごに進入した前記利用者を検出した場合に、前記報知装置に利用することができない旨を報知させる。
【０００７】
この発明に係るエレベータ装置利用不可報知方法は、かごに進入した利用者を検出する利用者検出装置と、前記かごに進入した前記利用者に対して報知する報知装置と、前記報知装置を制御する報知制御装置とを用いて、自動運転モードと非自動運転モードとの間で運転モードが切り換わるエレベータ装置の前記運転モードが前記非自動運転モードである場合に、利用することができない旨を前記利用者に報知するエレベータ装置利用不可報知方法であって、前記運転モードが前記非自動運転モードである場合に、前記利用者検出装置が前記かごに進入した前記利用者を検出する利用者検出工程と、前記利用者検出工程で前記利用者検出装置が前記かごに進入した前記利用者を検出した場合に、前記報知制御装置が前記報知装置に利用することができない旨を報知させる報知工程とを備えている。
【発明の効果】
【０００８】
この発明に係るエレベータ装置によれば、かごに進入した利用者を検出する利用者検出装置と、かごに進入した利用者に対して報知する報知装置と、報知装置を制御する報知制御装置とを備え、報知制御装置は、エレベータ装置の運転モードが非自動運転モードである場合であって、利用者検出装置がかごに進入した利用者を検出した場合に、報知装置に利用することができない旨を報知させるので、エレベータ装置の運転モードが非自動運転モードである場合であって、利用者がかごに進入した場合には、かごに進入した利用者に対して、利用することができない旨を報知することができる。
【０００９】
この発明に係るエレベータ装置利用不可報知方法によれば、エレベータ装置の運転モードが非自動運転モードである場合に、かごに進入した利用者を検出する利用者検出装置が、かごに進入した利用者を検出する利用者検出工程と、利用者検出工程で利用者検出装置がかごに進入した利用者を検出した場合に、報知制御装置が、かごに進入した利用者に対して報知する報知装置に、利用することができない旨を報知させる報知工程とを備えているので、エレベータ装置の運転モードが非自動運転モードである場合であって、利用者がかごに進入した場合には、かごに進入した利用者に対して、利用することができない旨を報知することができる。
【図面の簡単な説明】
【００１０】
【図１】この発明の実施の形態１に係るエレベータ装置を示す構成図である。
【図２】図１のエレベータ制御盤、かご操作盤、スピーカ装置および光電装置を示すブロック図である。
【図３】図１のエレベータ装置の動作を示すフローチャートである。
【発明を実施するための形態】
【００１１】
実施の形態１．
図１はこの発明の実施の形態１に係るエレベータ装置を示す構成図である。図において、エレベータ装置は、昇降路１００に設けられたかご１と、一端部がかご１に接続されたロープ２と、昇降路１００に設けられ、ロープ２の他端部に接続された釣合錘３と、ロープ２が巻き掛けられた綱車４１を有し、機械室２００に設けられた巻上機４と、巻上機４を制御するエレベータ制御盤５とを備えている。エレベータ制御盤５の制御によって、綱車４１が回転する。綱車４１が回転することによって、ロープ２が移動して、かご１および釣合錘３が互いに反対方向に昇降路１００を昇降する。
【００１２】
また、エレベータ装置は、かご１に進入した利用者によって操作されるかご操作盤６と、かご１に進入した利用者に対してアナウンスを行うスピーカ装置（報知装置）７と、かご１に進入した利用者を検出する光電装置（利用者検出装置）８とを備えている。かご操作盤６、スピーカ装置７および光電装置８のそれぞれは、かご１に設けられている。かご操作盤６、スピーカ装置７および光電装置８のそれぞれは、エレベータ制御盤５と電気的に接続されている。
【００１３】
光電装置８は、かご１が戸開状態で停止している場合に、利用者がかご出入口１１を通過することによって、かご１に進入した利用者を検出する。光電装置８は、光電装置８の検出結果をエレベータ制御盤５に出力する。
【００１４】
図２は図１のエレベータ制御盤５、かご操作盤６、スピーカ装置７および光電装置８を示すブロック図である。かご操作盤６は、各階に対応する行先階釦６１と、かご１（図１）内を照らす照明装置（図示せず）の状態を点灯状態と消灯状態との間で切り換えるための照明スイッチ６２と、エレベータ装置の運転モードを自動運転モードと手動運転モード（非自動運転モード）との間で切り換えるための自動手動切換スイッチ６３とを有している。
【００１５】
行先階釦６１は、各階に対応する複数の釦部（図示せず）を有しており、釦部が操作されることによって、操作された釦部に対応する行先階情報をエレベータ制御盤５に出力する。
【００１６】
照明スイッチ６２は、管理者または保守点検作業者によって操作される。照明スイッチ６２は、操作されることによって、ＯＮ位置とＯＦＦ位置との間で変位する。照明スイッチ６２は、照明スイッチ６２の状態を示す照明スイッチ状態情報をエレベータ制御盤５に出力する。かご１内を照らす照明装置は、照明スイッチ６２の位置がＯＮ位置である場合に点灯状態となり、照明スイッチ６２の位置がＯＦＦ位置である場合に消灯状態となる。
【００１７】
自動手動切換スイッチ６３は、管理者または保守点検作業者によって操作される。自動手動切換スイッチ６３は、操作されることによって、自動位置と手動位置との間で変位する。自動手動切換スイッチ６３は、自動手動切換スイッチ６３の状態を示す自動手動切換スイッチ状態情報をエレベータ制御盤５に出力する。
【００１８】
エレベータ制御盤５は、保守点検が行われる際に操作される点検スイッチ５１と、巻上機４（図１）を制御するエレベータ制御盤本体５２と、スピーカ装置７を制御するスピーカ制御装置（報知制御装置）５３とを有している。
【００１９】
点検スイッチ５１は、保守点検作業者によって操作される。点検スイッチ５１は、点検位置と非点検位置との間で変位する。点検スイッチ５１は、点検スイッチ５１の状態を示す点検スイッチ状態情報をスピーカ制御装置５３に出力する。
【００２０】
エレベータ制御盤本体５２には、行先階釦６１から出力された行先階情報が入力される。エレベータ制御盤本体５２は、入力された行先階情報に基づいて、かご呼び登録を行う。
【００２１】
また、エレベータ制御盤本体５２には、自動手動切換スイッチ６３から出力された自動手動切換スイッチ状態情報が入力される。エレベータ制御盤本体５２は、入力された自動手動切換スイッチ状態情報に基づいて、エレベータ装置の運転モードを自動運転モードと手動運転モードとの間で切り換える。具体的には、エレベータ制御盤本体５２は、自動手動切換スイッチ６３の位置が自動位置である場合には、エレベータ装置の運転モードを自動運転モードとし、自動手動切換スイッチ６３の位置が手動位置である場合には、エレベータ装置の運転モードを手動運転モードとする。ここで、自動運転モードとは、利用者が行先階釦６１を通常通りに操作することによってかご１が昇降する運転モードであり、手動運転モードとは、保守点検作業者が行先階釦６１を特殊操作することによってかご１が昇降する運転モードである。
【００２２】
スピーカ制御装置５３には、自動手動切換スイッチ６３から出力された自動手動切換スイッチ状態情報が入力される。スピーカ制御装置５３は、入力された自動手動切換スイッチ状態情報に基づいて、エレベータ装置の運転モードが自動運転モードおよび手動運転モードの何れであるかを判定する。具体的には、スピーカ制御装置５３は、自動手動切換スイッチ６３の位置が自動位置である場合には、エレベータ装置の運転モードが自動運転モードであると判定し、自動手動切換スイッチ６３の位置が手動位置である場合には、エレベータ装置の運転モードが手動運転モードであると判定する。
【００２３】
また、スピーカ制御装置５３には、照明スイッチ６２から出力された照明スイッチ状態情報が入力される。スピーカ制御装置５３は、入力された照明スイッチ状態情報に基づいて、照明装置の状態が点灯状態および消灯状態の何れであるかを判定する。具体的には、スピーカ制御装置５３は、照明スイッチ６２の位置がＯＮ位置である場合には、照明装置の状態が点灯状態であると判定し、照明スイッチ６２の位置がＯＦＦ位置である場合には、照明装置の状態が消灯状態であると判定する。
【００２４】
また、スピーカ制御装置５３には、光電装置８の検出結果が入力される。スピーカ制御装置５３は、光電装置８の検出結果に基づいて、かご１（図１）に進入した利用者がいるか否かを判定する。
【００２５】
また、スピーカ制御装置５３には、点検スイッチ５１から出力された点検スイッチ状態情報が入力される。スピーカ制御装置５３は、入力された点検スイッチ状態情報に基づいて、点検スイッチ５１の位置が点検位置および非点検位置の何れであるかを判定する。
【００２６】
スピーカ制御装置５３は、エレベータ装置の運転モードが手動運転モードであると判定し、照明装置の状態が消灯状態であると判定し、点検スイッチ５１の位置が非点検位置であると判定し、かご１に進入した利用者がいると判定する場合には、スピーカ装置７に利用することができない旨のアナウンスを行わせる。
【００２７】
また、スピーカ制御装置５３は、エレベータ装置の運転モードが自動運転モードおよび手動運転モードの何れであるかについての判定結果と、照明装置の状態が点灯状態および消灯状態の何れであるかについての判定結果と、かご１に進入した利用者がいるか否かについての判定結果と、点検スイッチ５１の位置が点検位置および非点検位置であるかについての判定結果とのそれぞれを、エレベータ制御盤本体５２に出力する。
【００２８】
エレベータ制御盤本体５２は、エレベータ装置の運転モードが自動運転モードおよび手動運転モードの何れであるかについての判定結果と、照明装置の状態が点灯状態および消灯状態の何れであるかについての判定結果と、かご１に進入した利用者がいるか否かについての判定結果と、点検スイッチ５１の位置が点検位置および非点検位置であるかについての判定結果とを用いて、かご１（図１）の昇降を制御する。
【００２９】
具体的には、エレベータ制御盤本体５２は、エレベータ装置の運転モードが手動運転モードであると判定され、照明装置の状態が消灯状態であると判定され、かご１に進入した利用者がいると判定され、点検スイッチ５１の位置が非点検位置であると判定された場合には、エレベータ装置の運転を停止とする。この場合、保守点検作業者が行先階釦６１を特殊操作した場合であっても、かご１が昇降しない。つまり、この場合、エレベータ装置の運転モードが手動運転モードであるものの、手動運転が不可となる。また、この場合、エレベータ制御盤５に設けられた操作装置を保守点検作業者が操作した場合であっても、かご１が昇降しない。
【００３０】
次に、エレベータ装置の動作を説明する。図３は図１のエレベータ装置の動作を示すフローチャートである。まず、スピーカ制御装置５３は、自動手動切換スイッチ６３から入力される自動手動切換スイッチ状態情報に基づいて、エレベータ装置の運転モードが自動運転モードおよび手動運転モードの何れであるか判定する（運転モード判定工程）（ステップＳ１０１）。ステップＳ１０１で、エレベータ装置の運転モードが自動運転モードであるとスピーカ制御装置５３が判定すると、ステップＳ１０１が繰り返される。
【００３１】
一方、ステップＳ１０１で、エレベータ装置の運転モードが手動運転モードであるとスピーカ制御装置５３が判定すると、スピーカ制御装置５３は、照明スイッチ６２から入力される照明スイッチ状態情報に基づいて、照明装置の状態が点灯状態および消灯状態の何れであるかを判定する（照明状態判定工程）（ステップＳ１０２）。ステップＳ１０２で、照明装置の状態が点灯状態であるとスピーカ制御装置５３が判定すると、ステップＳ１０１に戻る。
【００３２】
一方、ステップＳ１０２で、照明装置の状態が消灯状態であるとスピーカ制御装置５３が判定すると、スピーカ制御装置５３は、点検スイッチ５１から入力される点検スイッチ状態情報に基づいて、点検スイッチ５１の位置が点検位置および非点検位置の何れであるかを判定する（点検スイッチ位置判定工程）（ステップＳ１０３）。ステップＳ１０３で、点検スイッチ５１の位置が点検位置であるとスピーカ制御装置５３が判定すると、エレベータ装置の運転モードは、手動運転が可能な手動運転モードが維持される。
【００３３】
一方、ステップＳ１０３で、点検スイッチ５１の位置が非点検位置であるとスピーカ制御装置５３が判定すると、光電装置８は、かご１に進入した利用者を検出する（利用者検出工程）（ステップＳ１０４）。
【００３４】
その後、スピーカ制御装置５３は、光電装置８から入力される光電装置８の検出結果に基づいて、かご１に進入した利用者がいるか否かを判定する（利用者有無判定工程）（ステップＳ１０５）。ステップＳ１０５で、かご１に進入した利用者がいないとスピーカ制御装置５３が判定すると、ステップＳ１０３に戻る。
【００３５】
一方、ステップＳ１０５で、かご１に進入した利用者がいるとスピーカ制御装置５３が判定すると、エレベータ装置の運転モードは、手動運転ができない手動運転モードとなる。つまり、エレベータ装置の運転が停止される（運転停止工程）（ステップＳ１０６）。
【００３６】
その後、スピーカ制御装置５３は、スピーカ装置７に利用することができない旨のアナウンスを行わせる（報知工程）（ステップＳ１０７）。以上により、エレベータ装置の動作が終了する。
【００３７】
以上説明したように、この発明の実施の形態１に係るエレベータ装置によれば、かご１に進入した利用者を検出する光電装置８と、かご１に進入した利用者に対して報知するスピーカ装置７と、スピーカ装置７を制御するスピーカ制御装置５３とを備え、スピーカ制御装置５３は、エレベータ装置の運転モードが手動運転モードである場合であって、光電装置８がかご１に進入した利用者を検出した場合に、スピーカ装置７に利用することができない旨を報知させるので、エレベータ装置の運転モードが手動運転モードである場合であって、利用者がかご１に進入した場合には、かご１に進入した利用者に対して、利用することができない旨を報知することができる。
【００３８】
また、光電装置８は、かご１が戸開状態で停止している場合に、かご１に進入した利用者を検出するので、かご１が戸開状態で停止したまま、エレベータ装置の運転モードを手動運転モードにした場合に、かご１に進入した利用者に対して、エレベータ装置を利用することができない旨を報知することができる。
【００３９】
また、エレベータ装置の運転モードが手動運転モードである場合であって、光電装置８がかご１に進入した利用者を検出した場合に、スピーカ装置７が利用することができない旨を報知するので、利用者が誤ってかご操作盤６を特殊操作して、かご１が昇降することを抑制することができる。
【００４０】
また、この発明の実施の形態１に係るエレベータ装置利用不可報知方法によれば、エレベータ装置の運転モードが手動運転モードである場合に、かご１に進入した利用者を検出する光電装置８が、かご１に進入した利用者を検出する利用者検出工程と、利用者検出工程で光電装置８がかご１に進入した利用者を検出した場合に、スピーカ制御装置５３が、かご１に進入した利用者に対して報知するスピーカ装置７に、利用することができない旨を報知させる報知工程とを備えているので、エレベータ装置の運転モードが手動運転モードである場合であって、利用者がかご１に進入した場合には、かご１に進入した利用者に対して、利用することができない旨を報知することができる。
【００４１】
なお、上記実施の形態１では、報知装置として、スピーカ装置７を例に説明したが、これに限らず、例えば、利用することができない旨を表示する表示装置であってもよい。また、スピーカ装置７が、利用することができない旨のアナウンスを行うことによって、利用できない旨を報知する構成について説明したが、例えば、スピーカ装置７が、ブザー音を発することによって、利用することができない旨を報知する構成であってもよい。
【００４２】
また、上記実施の形態１では、利用者検出装置として、光電装置８を例に説明したが、これに限らず、例えば、かご１の積載重量を用いて、かご１に進入した利用者を検出する利用者検出装置、または、かご１内を撮影するカメラの画像を用いて、かご１に進入した利用者を検出する利用者検出装置であってもよい。
【００４３】
また、上記実施の形態１では、非自動運転モードとして、手動運転モードを例に説明したが、これに限らず、休止運転モードであってもよい。また、非自動運転モードに、手動運転モードおよび休止運転モードの両方が含まれてもよい。
【００４４】
また、上記実施の形態１では、スピーカ制御装置５３が、照明装置の状態が消灯状態であることを判定し、また、点検スイッチ５１の位置が非点検位置であることを判定する構成について説明したが、スピーカ制御装置５３が、照明装置の状態および点検スイッチ５１の状態に関係なく、スピーカ装置７に利用することができない旨のアナウンスを行わせる構成であってもよい。つまり、スピーカ制御装置５３が、エレベータ装置の運転モードが手動運転モードであると判定し、かご１に進入した利用者がいると判定する場合に、スピーカ装置７に利用することができない旨のアナウンスを行わせる構成であってもよい。
【符号の説明】
【００４５】
１  かご、２  ロープ、３  釣合錘、４  巻上機、５  エレベータ制御盤、６  かご操作盤、７  スピーカ装置（報知装置）、８  光電装置（利用者検出装置）、１１  かご出入口、４１  綱車、５１  点検スイッチ、５２  エレベータ制御盤本体、５３  スピーカ制御装置（報知制御装置）、６１  行先階釦、６２  照明スイッチ、６３  自動手動切換スイッチ、１００  昇降路、２００  機械室。
【図１】
2014080272.tif 000003
【図２】
2014080272.tif 000004
【図３】
2014080272.tif 000005